(57)【特許請求の範囲】
【請求項１】
建造物の躯体上に設けられ、防水シートと、フィルム状の太陽電池セルとを備え、対向する１対の辺を有する太陽電池付き防水シートを交換する方法であって、
前記躯体上に敷設された少なくとも１層で構成されている断熱性および絶縁性を有する下地層上に配置される固定具を有する固定手段により、前記躯体に前記下地層が固定され、
前記固定具上および該固定具の周辺の前記下地層上に、前記固定具を覆うように防水層が敷設され、前記固定具に前記防水層が固着され、
平面視で、前記固定具と前記太陽電池付き防水シートとが重ならないように、前記下地層上および前記固定具の周辺の前記防水層上に、前記太陽電池付き防水シートが敷設され、前記防水層に前記太陽電池付き防水シートが固着され、
前記固定具は、前記太陽電池付き防水シートの前記１対の辺の長手方向の途中のそれぞれに配置されており、
複数の前記太陽電池付き防水シートのうちの一部を交換する際、交換すべき前記太陽電池付き防水シートをその周囲の前記固定具ごと取り外し、
新たな前記固定具および新たな前記防水層をそれぞれ設置し、
平面視で、前記新たな固定具と新たな前記太陽電池付き防水シートとが重ならないように、前記下地層上および前記新たな防水層上に、前記新たな太陽電池付き防水シートを敷設し、前記新たな防水層に前記新たな太陽電池付き防水シートを固着する太陽電池付き防水シートの交換方法。
【請求項２】
建造物の躯体上に設けられ、防水シートと、フィルム状の太陽電池セルとを備え、対向する１対の辺を有する太陽電池付き防水シートを交換する方法であって、
前記躯体上に敷設された少なくとも１層で構成されている断熱性および絶縁性を有する下地層上に配置される固定具を有する固定手段により、前記躯体に前記下地層が固定され、
前記固定具上および該固定具の周辺の前記下地層上に、前記固定具を覆うように防水層が敷設され、前記固定具に前記防水層が固着され、
平面視で、前記固定具と前記太陽電池付き防水シートとが重ならないように、前記下地層上および前記固定具の周辺の前記防水層上に、前記太陽電池付き防水シートが敷設され、前記防水層に前記太陽電池付き防水シートが固着され、
前記固定具は、前記太陽電池付き防水シートの前記１対の辺の長手方向の途中のそれぞれに配置されており、
複数の前記太陽電池付き防水シートのうちの一部を交換する際、前記固定具上の前記防水層が交換すべき前記太陽電池付き防水シートから離間しないように、前記固定具の周辺の前記防水層を切断し、前記交換すべき太陽電池付き防水シートをその周囲の前記固定具ごと取り外し、
新たな前記固定具を設置し、
前記新たな固定具上および該新たな固定具の周辺の前記下地層上に、前記新たな固定具を覆うように新たな防水層を敷設し、前記新たな固定具に前記新たな防水層を固着し、
平面視で、前記新たな固定具と新たな前記太陽電池付き防水シートとが重ならないように、前記下地層上および前記新たな防水層上に、前記新たな太陽電池付き防水シートを敷設し、前記新たな防水層に前記新たな太陽電池付き防水シートを固着する太陽電池付き防水シートの交換方法。
【請求項３】
前記新たな防水層を敷設する際、前記下地層と前記切断された防水層との間に、前記新たな防水層の端部を配置し、該新たな防水層を前記切断された防水層に固着する請求項２に記載の太陽電池付き防水シートの交換方法。
【請求項４】
前記太陽電池付き防水シートは、切断しない請求項１ないし３のいずれかに記載の太陽電池付き防水シートの交換方法。
【請求項５】
前記固定手段は、さらに、前記固定具と形状の異なる補助固定具を有する請求項１ないし４のいずれかに記載の太陽電池付き防水シートの交換方法。
【請求項６】
前記太陽電池付き防水シートは、帯状をなし、
複数の前記太陽電池付き防水シートが間を隔てて並設されている請求項１ないし５のいずれかに記載の太陽電池付き防水シートの交換方法。
【請求項７】
複数の前記固定具が、前記敷設される各太陽電池付き防水シートの隣り合う２つの前記太陽電池付き防水シートの間に設けられている請求項１ないし６のいずれかに記載の太陽電池付き防水シートの交換方法。
【請求項８】
前記防水層が、前記敷設される各太陽電池付き防水シートの隣り合う２つの前記太陽電池付き防水シートの間に位置するように、帯状に敷設されている請求項１ないし７のいずれかに記載の太陽電池付き防水シートの交換方法。
【請求項９】
前記固定手段は、前記固定具に係合する係合部を有し、前記下地層を貫通して前記躯体に前記下地層を固定する棒状部材を備える請求項１ないし８のいずれかに記載の太陽電池付き防水シートの交換方法。
【発明の詳細な説明】
【技術分野】
【０００１】
本発明は、太陽電池付き防水シートの交換方法に関するものである。
【背景技術】
【０００２】
屋根面に防水シート一体型の屋根防水構造体（防水構造体）が敷設されて構成されたものとして、屋根躯体上に断熱材が敷設され、その断熱材上に太陽電池付き防水シート（太陽電池一体型防水シート）が設置されたものが知られている（特許文献１）。
しかしながら、このような従来の屋根防水構造体では、太陽電池付き防水シートは、屋根防水構造体として一体化されて設置されているので、太陽電池付き防水シートを交換する場合、その太陽電池付き防水シート全体のうち、交換すべき太陽電池付き防水シートのみを取り外すことは、困難であった。
【先行技術文献】
【特許文献】
【０００３】
【特許文献１】特開２００７−６７１３１号公報
【発明の概要】
【発明が解決しようとする課題】
【０００４】
本発明の目的は、交換すべき太陽電池付き防水シートのみをその周囲の固定具ごと容易に取り外し、交換することができる太陽電池付き防水シートの交換方法を提供することにある。
【課題を解決するための手段】
【０００５】
このような目的は、下記（１）〜（９）の本発明により達成される。
（１）  建造物の躯体上に設けられ、防水シートと、フィルム状の太陽電池セルとを備え、対向する１対の辺を有する太陽電池付き防水シートを交換する方法であって、
前記躯体上に敷設された少なくとも１層で構成されている断熱性および絶縁性を有する下地層上に配置される固定具を有する固定手段により、前記躯体に前記下地層が固定され、
前記固定具上および該固定具の周辺の前記下地層上に、前記固定具を覆うように防水層が敷設され、前記固定具に前記防水層が固着され、
平面視で、前記固定具と前記太陽電池付き防水シートとが重ならないように、前記下地層上および前記固定具の周辺の前記防水層上に、前記太陽電池付き防水シートが敷設され、前記防水層に前記太陽電池付き防水シートが固着され、
前記固定具は、前記太陽電池付き防水シートの前記１対の辺の長手方向の途中のそれぞれに配置されており、
複数の前記太陽電池付き防水シートのうちの一部を交換する際、交換すべき前記太陽電池付き防水シートをその周囲の前記固定具ごと取り外し、
新たな前記固定具および新たな前記防水層をそれぞれ設置し、
平面視で、前記新たな固定具と新たな前記太陽電池付き防水シートとが重ならないように、前記下地層上および前記新たな防水層上に、前記新たな太陽電池付き防水シートを敷設し、前記新たな防水層に前記新たな太陽電池付き防水シートを固着する太陽電池付き防水シートの交換方法。
【０００６】
（２）  建造物の躯体上に設けられ、防水シートと、フィルム状の太陽電池セルとを備え、対向する１対の辺を有する太陽電池付き防水シートを交換する方法であって、
前記躯体上に敷設された少なくとも１層で構成されている断熱性および絶縁性を有する下地層上に配置される固定具を有する固定手段により、前記躯体に前記下地層が固定され、
前記固定具上および該固定具の周辺の前記下地層上に、前記固定具を覆うように防水層が敷設され、前記固定具に前記防水層が固着され、
平面視で、前記固定具と前記太陽電池付き防水シートとが重ならないように、前記下地層上および前記固定具の周辺の前記防水層上に、前記太陽電池付き防水シートが敷設され、前記防水層に前記太陽電池付き防水シートが固着され、
前記固定具は、前記太陽電池付き防水シートの前記１対の辺の長手方向の途中のそれぞれに配置されており、
複数の前記太陽電池付き防水シートのうちの一部を交換する際、前記固定具上の前記防水層が交換すべき前記太陽電池付き防水シートから離間しないように、前記固定具の周辺の前記防水層を切断し、前記交換すべき太陽電池付き防水シートをその周囲の前記固定具ごと取り外し、
新たな前記固定具を設置し、
前記新たな固定具上および該新たな固定具の周辺の前記下地層上に、前記新たな固定具を覆うように新たな防水層を敷設し、前記新たな固定具に前記新たな防水層を固着し、
平面視で、前記新たな固定具と新たな前記太陽電池付き防水シートとが重ならないように、前記下地層上および前記新たな防水層上に、前記新たな太陽電池付き防水シートを敷設し、前記新たな防水層に前記新たな太陽電池付き防水シートを固着する太陽電池付き防水シートの交換方法。
【０００７】
（３）  前記新たな防水層を敷設する際、前記下地層と前記切断された防水層との間に、前記新たな防水層の端部を配置し、該新たな防水層を前記切断された防水層に固着する上記（２）に記載の太陽電池付き防水シートの交換方法。
（４）  前記太陽電池付き防水シートは、切断しない上記（１）ないし（３）のいずれかに記載の太陽電池付き防水シートの交換方法。
（５）  前記固定手段は、さらに、前記固定具と形状の異なる補助固定具を有する上記（１）ないし（４）のいずれかに記載の太陽電池付き防水シートの交換方法。
【０００８】
（６）  前記太陽電池付き防水シートは、帯状をなし、
複数の前記太陽電池付き防水シートが間を隔てて並設されている上記（１）ないし（５）のいずれかに記載の太陽電池付き防水シートの交換方法。
（７）  複数の前記固定具が、前記敷設される各太陽電池付き防水シートの隣り合う２つの前記太陽電池付き防水シートの間に設けられている上記（１）ないし（６）のいずれかに記載の太陽電池付き防水シートの交換方法。
（８）  前記防水層が、前記敷設される各太陽電池付き防水シートの隣り合う２つの前記太陽電池付き防水シートの間に位置するように、帯状に敷設されている上記（１）ないし（７）のいずれかに記載の太陽電池付き防水シートの交換方法。
（９）  前記固定手段は、前記固定具に係合する係合部を有し、前記下地層を貫通して前記躯体に前記下地層を固定する棒状部材を備える上記（１）ないし（８）のいずれかに記載の太陽電池付き防水シートの交換方法。
【発明の効果】
【０００９】
本発明によれば、平面視において、太陽電池付き防水シートと固定具とが重なっていないので、太陽電池付き防水シートの交換作業において、交換すべき太陽電池付き防水シートを取り外す際、他の太陽電池付き防水シートを取り外すことなく、交換すべき太陽電池付き防水シートのみをその周囲の固定具ごと取り外すことができ、交換作業を容易かつ迅速に行うことができる。
【図面の簡単な説明】
【００１０】
【図１】防水構造体の実施形態を示す斜視図である。
【図２】図１に示す防水構造体の平面図である。
【図３】図１中のＡ−Ａ線での断面図である。
【図４】図１中のＢ−Ｂ線での断面図である。
【図５】図１に示す防水構造体の太陽電池付き防水シートを示す断面図である。
【図６】図１に示す防水構造体における太陽電池付き防水シートの交換方法を説明するための断面図である。
【図７】図１に示す防水構造体における太陽電池付き防水シートの交換方法を説明するための断面図である。
【発明を実施するための形態】
【００１１】
以下、本発明の太陽電池付き防水シートの交換方法を添付図面に示す好適な実施形態に基づいて詳細に説明する。
図１は、防水構造体の実施形態を示す斜視図、図２は、図１に示す防水構造体の平面図、図３は、図１中のＡ−Ａ線での断面図、図４は、図１中のＢ−Ｂ線での断面図、図５は、図１に示す防水構造体の太陽電池付き防水シートを示す断面図、図６および図７は、図１に示す防水構造体における太陽電池付き防水シートの交換方法を説明するための断面図である。
なお、以下では、図１〜図４、図６、図７中に矢印で「上」、「下」、「右」、「左」、「前」、「後」の方向を示し、また、図５中の上側を「上」、下側を「下」として説明を行う。また、図４では、アルミニウムテープ１１３の図示が省略されている。
【００１２】
各図に示す屋根防水構造体（防水構造体）１は、屋根や屋上などの躯体１０の上面に敷設される（設けられる）。この屋根防水構造体１は、躯体１０の上面に所定の間隙１１１を介して敷設される複数の断熱材（断熱層）１１０と、各断熱材１１０の上面に敷設される不燃性繊維を含有する複数の不燃絶縁層（絶縁層）１２０と、各不燃絶縁層１２０の上面に敷設される複数の防水層１３０と、各不燃絶縁層１２０および各防水層１３０の上面に敷設され、複数の電子部品セルである太陽電池セル１４１が内蔵されている複数の電子部品層である複数の太陽電池付き防水シート１４０とを有している。また、太陽電池付き防水シート１４０の各太陽電池セル１４１は、断熱材１１０と断熱材１１０との間隙１１１において配線される。また、断熱材１１０と不燃絶縁層１２０とにより、断熱性および絶縁性を有する下地層が構成される。なお、以下では、複数設けられた部材（層）については、代表してその１つを説明する。
【００１３】
躯体１０の形態としては、特に限定されず、例えば、表面が前後方向で凹凸の金属屋根である下地デッキプレート、フラットデッキプレート、瓦棒、ＲＣ（reinforced concrete）、ＡＬＣ（autoclaved light weight concrete）などが挙げられる。
各断熱材１１０は、前後方向に細長く上下方向に扁平で左右方向に一定幅の平板状の部材であり、各断熱材１１０が左右方向に所定の間隙１１１を介して躯体１０の上面に敷設されている。その断熱材１１０表面には、本実施形態では、図示しない表面材が貼着されている。この表面材としては、例えば、アルミニウム箔、紙、ポリエチレン系樹脂フィルム、エチレン酢酸ビニル系樹脂フィルムなどが挙げられる。また、間隙１１１の内面には、本実施形態では、金属層としてアルミニウムテープ１１２が被覆されている。
断熱材１１０の厚さは、特に限定されず、例えば、２０〜１００ｍｍとされる。また、断熱材１１０の構成材料としては、特に限定されず、例えば、ポリスチレンフォーム、ポリエチレンフォーム、ウレタンフォーム、フェノールフォームなど、合成樹脂の発泡成形体などが挙げられる。
なお、断熱材１１０の上面には目地テープ１１４が貼着されている。目地テープ１１４は、飛び火による延焼を抑制する観点から不燃性のアルミニウムを基材としたアルミニウムテープであるのが好ましい。また、断熱材１１０の下層には要所に図示しない補助鋼板が配置されており、これが図示しないビスで躯体１０に固定されている。
【００１４】
各不燃絶縁層１２０と各防水層１３０と各太陽電池付き防水シート１４０とは、各々がシート状をなしており、断熱材１１０の上面に順番に敷設されている。
図１、図３および図４に示すように、各不燃絶縁層１２０は、各断熱材１１０の上面に敷設されている。この場合、不燃絶縁層１２０は、その平面視での形状が断熱材１１０と同一であり、すなわち、前後方向に細長い矩形状をなしており、断熱材１１０の間隙１１１の上面開口には配置されていない。なお、各断熱材１１０の間隙１１１の上面開口は、金属層であるアルミニウムテープ１１３で封止されている。
不燃絶縁層１２０は、本実施形態では、不燃性繊維を含有する樹脂シートからなり、不燃性繊維がシート状の不織布として形成されている。より具体的には、不燃絶縁層１２０は、不燃性繊維の不織布を芯材として、その両面または片面に樹脂シートを貼り合わせた構成となっている。なお、不燃性繊維は、不織布に限らず、織布でもよいことは、言うまでもない。
この不燃絶縁層１２０の不燃性繊維としては、特に限定されないが、ガラス繊維が好ましい。また、樹脂シートは、としては、特に限定されず、例えば、ポリエチレン系樹脂などが挙げられる。また、ガラス繊維（不燃性繊維）の含有量は、特に限定されないが、例えば、質量７０ｇ／ｍ２以上が樹脂シートに含有されていることが好ましい。
ガラス繊維が樹脂シートに質量７０ｇ／ｍ２以上含有されていることにより、飛び火による火種を、不燃絶縁層１２０で効果的に阻止し、屋根面への燃え抜けを防止することができる。
なお、不燃性繊維としては、施工性、経済性等を考慮すれば、ガラス繊維が好ましいが、ガラス繊維には限定されず、この他、例えば、金属繊維、セラミック繊維なども用いることができる。
【００１５】
また、樹脂シートの構成材料としては、特に限定されず、例えば、ポリエチレン、ポリプロピレン、ポリエステル、ポリ塩化ビニル樹脂などが挙げられるが、これらのうちでは、ポリエチレンが好ましい。ポリエチレンを用いることにより、太陽電池付き防水シート１４０の例えば軟質ＰＶＣ（ポリ塩化ビニル）製の後述する防水シート１４７と接した際に、防水シート１４７に含有される可塑剤の移行を確実に防止することができる。また、施工時の強度を維持する面からも好ましい。
また、不燃絶縁層１２０では、不燃性繊維と樹脂シートとの接着性を向上させるために、不燃性繊維と樹脂シートとの層間には、接着層として、ＬＤＰＥ（低密度ポリエチレン）で構成された樹脂層を介在させることが好ましい。
また、上記の樹脂シートは、断熱性を考慮して、ポリエチレン製の不織布とすることもできる。ポリエチレン製の不織布を用いることにより、縦横方向の伸びが抑えられ、不燃性繊維の伸びや破損を防ぐこともできる。なお、ポリエチレン製の不織布は、延伸してテープ状に成形したポリエチレンフィルムを２軸（縦横）または３軸（縦・両斜め）の格子状に配置して、その交点を接着したシートを芯材として、両面にポリエチレンフィルムをラミネートして得ることができる。
また、不燃絶縁層１２０のその他の形態としては、不燃性繊維を短繊維（チョップドストランド）として、それを樹脂に含有させ、押出成形やカレンダー成形によりシート状に成形加工した樹脂シートが挙げられる。この場合、繊維の直径は、特に限定されないが、６〜２４μｍであることが好ましい。
【００１６】
図３および図４に示すように、各不燃絶縁層１２０は、固定具１５１と、固定具１５１と形状の異なる固定具（補助固定具）１５２とが不燃絶縁層１２０を押さえ止める態様で、頭部（係合部）１５０１を有する複数のビス（棒状部材）１５０によって複数の固定具１５１、１５２を躯体１０に固定することで、その躯体１０に固定されている。すなわち、不燃絶縁層１２０は、全面ではなく、その一部において、固定具１５１、１５２およびビス１５０により、躯体１０に固定されている。
なお、ビス１５０は、不燃絶縁層１２０を貫通して躯体１０に挿入され、その頭部１５０１が固定具１５１、１５２に係合することで躯体１０に不燃絶縁層１２０を固定する。また、固定具１５１、１５２とビス１５０とにより、固定手段が構成される。
【００１７】
ここで、図１および図２に示すように、本実施形態では、固定具１５１として、例えば、円盤状の固定具である円盤固定金具等を用いる。そして、複数の固定具１５１は、各太陽電池付き防水シート１４０の隣り合う２つの太陽電池付き防水シート１４０の間隙に設けられている。すなわち、各固定具１５１は、各太陽電池付き防水シート１４０の１対の長辺（辺）１４０１、１４０２に沿って、長辺（辺）１４０１、１４０２の長手方向の途中のそれぞれに配置されている。
【００１８】
また、本実施形態では、固定具１５２として、長手形状をなし、例えば、長方形の平板状の固定具である平板固定金具等を用いる。そして、固定具１５２は、その長手方向と、太陽電池付き防水シート１４０の１対の短辺（辺）１４０３、１４０４の方向とが一致し、複数の太陽電池付き防水シート１４０に跨るように設けられている。
また、各防水層１３０は、細長いシート状（帯状）をなしている。すなわち、各防水層１３０は、各太陽電池付き防水シート１４０の隣り合う２つの太陽電池付き防水シート１４０の間に位置するように、帯状に敷設されている。具体的には、防水層１３０は、例えば、前後方向に細長く、左右方向に複数配列した下層と、左右方向に細長く、前後方向に複数配列した上層とがクロスした２層構造に形成されている。ここで、防水層１３０の構成材料としては、特に限定されないが、ＰＶＣ（ポリ塩化ビニル）が好ましい。防水層１３０をＰＶＣで構成することにより、その自己消火性により、飛び火による延焼を効果的に抑制することができる。
この防水層１３０は、固定具１５１、１５２の上面および固定具１５１、１５２の周辺の不燃絶縁層１２０の上面に敷設されており、固定具１５１、１５２に固着されている。すなわち、防水層１３０は、固定具１５１、１５２と、固定具１５１、１５２の周辺の不燃絶縁層１２０とを覆っており、固定具１５１、１５２の周辺以外の不燃絶縁層１２０は、覆っていない。
なお、防水層１３０の端縁同士は、例えば、溶剤、熱、接着剤等で溶着、融着、または接着されており、防水性が保持されている。
【００１９】
各太陽電池付き防水シート１４０は、全体として前後方向に細長い長方形のシート状（帯状）をなしており、行列状に配置された前後方向に細長い長方形の複数の太陽電池セル１４１を有している。この複数の太陽電池セル１４１の数および配置は、特に限定されないが、例えば、左右方向に２列、前後方向に４列などが挙げられる。
図５に示すように、この太陽電池付き防水シート１４０は、防水シート１４７と、積層構造の接着層１４２と、裏面保護層１４３と、下面封止材１４４と、フィルム状の太陽電池セル１４１と、上面封止材１４５と、表面保護層１４６とが、防水層１３０側からこの順序で積層された積層構造を有している。防水シート１４７の端縁同士は、例えば、溶剤、熱、接着剤等で溶着、融着、または接着されており、防水性が保持されている。
【００２０】
防水シート１４７の構成材料としては、特に限定されず、例えば、ＰＶＣ（ポリ塩化ビニル）などが挙げられる。
また、接着層１４２の構成材料としては、特に限定されず、例えば、酢酸ビニル系樹脂などが挙げられる。
また、裏面保護層１４３の構成材料としては、特に限定されず、例えば、フッ素系樹脂などが挙げられる。この裏面保護層１４３は、フィルム状をなしている。
また、下面封止材１４４の構成材料としては、特に限定されず、例えば、ポリエチレンなどが挙げられる。この下面封止材１４４は、太陽電池セル１４１下面を封止するものであり、フィルム状をなしている。
また、太陽電池セル１４１としては、特に限定されず、例えば、フィルム状のアモルファスシリコン系の太陽電池セルなどが挙げられる。
上面封止材１４５の構成材料としては、特に限定されず、例えば、ポリエチレンなどが挙げられる。この上面封止材１４５は、太陽電池セル１４１の上面を封止するものであり、フィルム状をなしている。
【００２１】
また、表面保護層１４６の構成材料としては、特に限定されず、例えば、フッ素系樹脂などが挙げられる。この表面保護層１４６は、フィルム状をなしている。
また、太陽電池付き防水シート１４０の寸法は、特に限定されず、諸条件に応じて適宜設定されるが、上面封止材１４５の厚さは、０．３ｍｍ〜０．５５ｍｍであることが好ましく、総厚が０．４５ｍｍ〜０．９５ｍｍであることが好ましく、そして、特に、上面封止材１４５の厚さが０．３ｍｍで下面封止材１４４の厚さが０．１５ｍｍであることが好ましい。
【００２２】
このような各太陽電池付き防水シート１４０は、左右方向および前後方向にそれぞれ間を隔て並設されている。そして、太陽電池付き防水シート１４０は、平面視で、固定具１５１、１５２と重ならないように、不燃絶縁層１２０の上面および固定具１５１、１５２の周辺の防水層１３０の上面に敷設されており、その端部が防水層１３０に固着されている。この場合、太陽電池付き防水シート１４０の外周部全体が防水層１３０に固着されている。太陽電池付き防水シート１４０の防水層１３０への固着方法は、特に限定されず、例えば、溶着等が挙げられる。
【００２３】
なお、太陽電池付き防水シート１４０は、その端部のみが防水層１３０を介して固定具１５１、１５２に固定されているので、全面が固定されている場合に比べて、強風などによる太陽電池付き防水シート１４０の太陽電池セル１４１の破損や損傷を防止または抑制することができる。
また、太陽電池付き防水シート１４０では、太陽電池セル１４１に電気的に接続されている出力端子ユニット１６１がその下面に設置されており、この出力端子ユニット１６１が図示しないコネクタなどを介してケーブル１６３に電気的に接続されている（配線されている）。このような出力端子ユニット１６１、コネクタ、ケーブル１６３などは、断熱材１１０の間隙１１１に配置されている。
【００２４】
なお、太陽電池付き防水シート１４０の形態は、前述したものには限定されない。太陽電池付き防水シート１４０の別の形態としては、防水シート１４７と、下面封止材１４４と、フィルム状の太陽電池セル１４１と、上面封止材１４５と、表面保護層１４６とが、防水層１３０側からこの順序で積層された積層構造などが挙げられる。この場合、防水シート１４７および太陽電池セル１４１としては、前述した太陽電池付き防水シート１４０と同様であり、下面封止材１４４および上面封止材１４５の構成材料としては、例えば、酢酸ビニル系樹脂などを用いる。また、太陽電池付き防水シート１４０の寸法は、特に限定されず、諸条件に応じて適宜設定されるが、上面封止材１４５および下面封止材１４４の厚さは、それぞれ、０．６ｍｍ以下であることが好ましく、０．４ｍｍであることがより好ましい。
上述した本実施形態の屋根防水構造体１では、最上層の太陽電池付き防水シート１４０の各太陽電池セル１４１が太陽光を受光して発電する。そして、発電された電力は、各断熱材１１０の間隙１１１に挿通されている出力端子ユニット１６１、コネクタ、ケーブル１６３などを介して外部に出力される。
【００２５】
ここで、太陽電池付き防水シート１４０が故障した場合は、その太陽電池付き防水シート１４０を交換する。この場合、太陽電池付き防水シート１４０全体のうち、故障している太陽電池付き防水シート１４０のみを交換する。なお、太陽電池付き防水シート１４０の故障は、例えば、目視で確認することができ、また、定期点検などにおいて、太陽電池付き防水シート１４０の太陽電池セル１４１の出力を測定することなどで検出することができる。
【００２６】
また、防水層１３０は、外部に露出しており、経時的に劣化するので、防水層１３０が劣化している場合は、前記太陽電池付き防水シート１４０の交換の際に、その劣化している防水層１３０も交換する。以下では、太陽電池付き防水シート１４０と防水層１３０とを同時に交換する場合を説明する。
まず、太陽電池付き防水シート１４０を躯体１０上に設ける際の手順（太陽電池付き防水シート１４０の施工方法）について説明する。
まず、図１〜図４に示すように、躯体１０の上面に所定の間隙１１１を介して複数の断熱材１１０を敷設し、その内面および間隙１１１の上面にアルミニウムテープ１１２、１１３を貼着する。
【００２７】
次に、不燃性繊維を含有する複数の不燃絶縁層１２０を複数の断熱材１１０の上面に敷設する。この不燃絶縁層１２０は、複数の断熱材１１０の間隙１１１の上面には配置されない。
次に、不燃絶縁層１２０上に複数の固定具１５１、１５２を配置し、その固定具１５１、１５２を複数のビス１５０により、躯体１０に固定する。これにより、固定具１５１、１５２およびビス１５０により、不燃絶縁層１２０が躯体１０上に固定される。この場合、各固定具１５１は、各太陽電池付き防水シート１４０の隣り合う２つの太陽電池付き防水シート１４０の間に設けられる。また、固定具１５２は、複数の太陽電池付き防水シート１４０に跨るように設けられる。
【００２８】
次に、複数の防水層１３０を、各太陽電池付き防水シート１４０の隣り合う２つの太陽電池付き防水シート１４０の間に位置するように、帯状に敷設する。この場合、複数の防水層１３０を固定具１５１、１５２の上面および固定具１５１、１５２の周辺の不燃絶縁層１２０の上面に敷設し、固定具１５１、１５２を覆い、防水層１３０を固定具１５１、１５２に固着する。この固着方法は、前述したように、特に限定されず、例えば、溶着等が挙げられる。
次に、複数の太陽電池付き防水シート１４０を不燃絶縁層１２０の上面に間を隔て敷設（並設）し、太陽電池付き防水シート１４０の端部を防水層１３０に固着する。この固着方法は、前述したように、特に限定されず、例えば、溶着等が挙げられる。
【００２９】
また、この際、太陽電池付き防水シート１４０の各太陽電池セル１４１を断熱材１１０の間隙１１１において配線する。
なお、各防水シート１４７、各防水層１３０については、その端縁同士を、例えば、溶剤、熱、接着剤等で溶着、融着、または接着する。
ここで、平面視において、太陽電池付き防水シート１４０と固定具１５１、１５２とが重ならないようにする。
これにより、後述する太陽電池付き防水シート１４０の交換において、交換すべき太陽電池付き防水シート１４０をその周囲の固定具１５１ごと取り外す際、他の太陽電池付き防水シート１４０を取り外すことなく、交換すべき太陽電池付き防水シート１４０のみをその周囲の固定具１５１ごと取り外すことができ、交換作業を容易かつ迅速に行うことができる。
【００３０】
次に、躯体１０上に設けられた太陽電池付き防水シート１４０を交換する際の手順（太陽電池付き防水シート１４０の交換方法）について説明する。
まず、複数の太陽電池付き防水シート１４０のうちの一部の太陽電池付き防水シート１４０を交換する場合、図６に示すように、固定具１５１上の防水層１３０が交換すべき（取り外すべき）太陽電池付き防水シート１４０から離間しないように、固定具１５１の周辺の防水層１３０を切断する。
また、交換すべき太陽電池付き防水シート１４０側にその交換すべき太陽電池付き防水シート１４０を固定している固定具１５２が含まれないように、すなわち、固定具１５２上の防水層１３０が交換すべき太陽電池付き防水シート１４０に付かないように、固定具１５２の周辺の防水層１３０を切断する（図示せず）。
【００３１】
そして、交換すべき太陽電池付き防水シート１４０をその周囲の固定具１５１ごと取り外す。なお、太陽電池付き防水シート１４０は、切断しない。
この場合、平面視において、太陽電池付き防水シート１４０と固定具１５１、１５２とが重なっていないので、固定具１５２を取り外すことなく、太陽電池付き防水シート１４０をその周囲の固定具１５１ごと取り外すことができる。これによって、他の太陽電池付き防水シート１４０を取り外すことなく、交換すべき太陽電池付き防水シート１４０のみをその周囲の固定具１５１ごと取り外すことができる。
【００３２】
次に、図７に示すように、不燃絶縁層１２０上に複数の新たな固定具１５１ａを配置し、その固定具１５１ａを複数の新たなビス１５０ａにより、躯体１０に固定する。これにより、固定具１５１ａおよびビス１５０ａにより、不燃絶縁層１２０が躯体１０上に固定される。
次に、新たな固定具１５１ａの上面および新たな固定具１５１ａの周辺の不燃絶縁層１２０の上面に、新たな固定具１５１ａを覆うように新たな防水層１３０ａを敷設し、新たな固定具１５１ａに新たな防水層１３０ａを固着する。また、切断されて不燃絶縁層１２０上に残った防水層１３０を捲り上げ、不燃絶縁層１２０と、切断されて不燃絶縁層１２０上に残った防水層１３０との間に、新たな防水層１３０ａの側方の端部を配置し、新たな防水層１３０ａを、その切断された防水層１３０に固着する。また、図示しない新たな防水層を切断されて固定具１５２上に残った防水層１３０の上面およびその切断された防水層１３０の周辺の不燃絶縁層１２０の上面に敷設し、その新たな防水層をその切断された防水層１３０に固着する（図示せず）。なお、防水層１３０の切断、除去された部分を覆うように新たな防水層を敷設する。前記各固着方法は、特に限定されず、例えば、溶着等が挙げられる。
【００３３】
次に、新たな太陽電池付き防水シート１４０ａを不燃絶縁層１２０の上面および新たな防水層１３０ａの上面に敷設し、新たな太陽電池付き防水シート１４０ａの端部を新たな防水層１３０ａに固着する。この固着方法は、特に限定されず、例えば、溶着等が挙げられる。ここで、平面視において、新たな太陽電池付き防水シート１４０と新たな固定具１５１および固定具１５２とが重ならないようにする。
なお、新たな太陽電池付き防水シート１４０ａについては、その太陽電池セル１４１について、例えば、所定のテスターなどを用いて正常であることを確認する。
【００３４】
以上説明したように、本発明によれば、太陽電池付き防水シート１４０の交換作業において、交換すべき太陽電池付き防水シート１４０をその周囲の固定具１５１ごと取り外す際、他の太陽電池付き防水シート１４０を取り外すことなく、交換すべき太陽電池付き防水シート１４０のみをその周囲の固定具１５１ごと取り外すことができ、交換作業を容易かつ迅速に行うことができる。
また、新たな防水層１３０ａに新たな太陽電池付き防水シート１４０ａを固着するので、その太陽電池付き防水シート１４０の交換後においても防水性を確実に維持することができる。
【００３５】
また、不燃絶縁層１２０と、切断されて不燃絶縁層１２０上に残った防水層１３０との間に、新たな防水層１３０ａの側方の端部が配置されるので、良好な防水性が得られる。
また、太陽電池付き防水シート１４０は、従来の一般的な太陽電池パネルとは異なり、柔軟なシート状に形成されているため、その施工が容易である。しかも、その下層に位置する防水層１３０および不燃絶縁層１２０が柔軟なシート状に形成されているため、さらに施工が容易である。
また、屋根防水構造体１は、専用の２層クロスの防水層１３０だけでなく、最上層の太陽電池付き防水シート１４０が防水シート１４７を有しているので、３重に防水シート（防水層）が形成されることになり、その防水性能が良好である。
【００３６】
以上、本発明の太陽電池付き防水シートの交換方法を、図示の実施形態に基づいて説明したが、本発明はこれに限定されるものではない。また、本発明に、他の任意の工程が付加されていてもよい。
なお、前記実施形態では、下地層は、断熱材１１０と不燃絶縁層１２０との２層で構成されているが、本発明では、これに限定されず、下地層は、１層で構成されていてもよく、また、３層以上で構成されていてもよい。
また、本発明では、断熱材１１０の間隙１１１の上面開口が不燃絶縁層１２０で封止されていてもよい。
また、本発明では、断熱材１１０の間隙１１１の内部が別体の断熱部材で充填されていてもよい。この断熱部材の構成材料としては、例えば、断熱材１１０と同様のものを用いることができる。
【００３７】
また、前記実施形態では、防水構造体は、屋根や屋上などの躯体の上面に設けられるものであるが、本発明では、これに限定されず、防水構造体は、建造物の躯体上であれば、他の部位に設けられるものでもよい。
また、前記実施形態では、太陽電池付き防水シートの施工方法において、太陽電池付き防水シートを屋根や屋上などの躯体の上面に設けているが、本発明では、これに限定されず、太陽電池付き防水シートを、建造物の躯体上であれば、他の部位に設けてもよい。
また、前記実施形態では、太陽電池付き防水シートの交換方法において、太陽電池付き防水シートは、屋根や屋上などの躯体の上面に設けられているが、本発明では、これに限定されず、太陽電池付き防水シートは、建造物の躯体上であれば、他の部位に設けられていてもよい。
【符号の説明】
【００３８】
１              屋根防水構造体
１０            躯体
１１０          断熱材
１１１          間隙
１１２          アルミニウムテープ
１１３          アルミニウムテープ
１１４          目地テープ
１２０          不燃絶縁層
１３０、１３０ａ  防水層
１４０、１４０ａ  太陽電池付き防水シート
１４０１、１４０２  長辺
１４０３、１４０４  短辺
１４１          太陽電池セル
１４２          接着層
１４３          裏面保護層
１４４          下面封止材
１４５          上面封止材
１４６          表面保護層
１４７          防水シート
１５０、１５０ａ  ビス
１５０１        頭部
１５１、１５１ａ、１５２  固定具
１６１          出力端子ユニット
１６３          ケーブル
【図１】
0005998393.tif 000002
【図２】
0005998393.tif 000003
【図３】
0005998393.tif 000004
【図４】
0005998393.tif 000005
【図５】
0005998393.tif 000006
【図６】
0005998393.tif 000007
【図７】
0005998393.tif 000008